(57)【要約】      （修正有）【課題】音楽演奏中に設定値の調整や確認が簡便なエフェクターを提供する。【解決手段】（Ａ）音楽信号を入力する手段と、前記音楽信号に対して音響効果を付加する手段と、前記音響効果が付加された音楽信号を出力する手段とを有する筐体１００、（Ｂ）前記筐体の外部に設置される調節表示部材、および（Ｃ）前記筐体に着脱可能に設置された化粧板２００、を備えてエフェクターを構成する。さらに、前記筐体の外部に設置される上記（Ｂ）記載の調節表示部材が、前記筐体の外部から音楽信号に対して音響効果を付加する手段を制御するための調整つまみ２０，３０，４０、および前記筺体の外部からエフェクターの動作状況を確認するための表示部材１０、の少なくとも一方を含み、前記筐体に着脱可能に設置された化粧板２００が、前記筐体の外部に設置される調節表示部材を挿通させるための貫通孔を設けてエフェクターとする。【選択図】図１
0003157467.tif 000002
【実用新案登録請求の範囲】
【請求項１】
（Ａ）音楽信号を入力する手段と、前記音楽信号に対して音響効果を付加する手段と、前記音響効果が付加された音楽信号を出力する手段とを有する筐体、
（Ｂ）前記筐体の外部に設置される調節表示部材、
および
（Ｃ）前記筐体に着脱可能に設置された化粧板、
を備えたエフェクターであって、
前記筐体の外部に設置される調節表示部材（Ｂ）が、前記筐体の外部から音楽信号に対して音響効果を付加する手段を制御するための調整つまみ、および前記筺体の外部からエフェクターの動作状況を確認するための表示部材、の少なくとも一方を含み、
前記筐体に着脱可能に設置された化粧板（Ｃ）が、前記筐体の外部に設置される調節表示部材を挿通させるための貫通孔を有することを特徴とする、エフェクター。
【請求項２】
前記筐体の外部に設置される調節表示部材（Ｂ）が、前記筐体の外部から音楽信号に対して音響効果を付加する手段を制御するための調整つまみを含み、
前記調整つまみが、側面に３００μｍ〜５ｍｍの範囲の高低差の凹凸を有する、請求項１に記載のエフェクター。
【請求項３】
請求項１または２に記載のエフェクターの筐体上面に着脱可能に設置される、エフェクター用の化粧板であって、
前記筐体の外部に設置される調節表示部材を挿通させるための貫通孔を有する、化粧板。
【請求項４】
請求項１または２に記載のエフェクターの筐体上面に設置される、エフェクター用の調整つまみであって、
前記調整つまみは柱状形状であり、
前記柱状形状の側面に３００μｍ〜５ｍｍの範囲の高低差の凹凸を有し、
前記凹凸の凸部分の少なくとも一つが、前記柱状形状側面上の柱軸方向の直線と、柱軸方向と垂直な面により前記柱状形状を切断した切断面外周との双方に交差する、
調整つまみ。
【考案の詳細な説明】
【技術分野】
【０００１】
本考案は、エフェクターおよびその部品に関するものである。
【背景技術】
【０００２】
従来から各種楽器の音楽演奏に対し音響効果を付加することのできるエフェクターが電気電子機器として使用されている。このエフェクターを使用することにより、エレキギターやキーボード等の楽器による音楽信号に対して歪みや残響等を与えたり、音楽信号の特定の周波数帯域に対して増幅や減衰等を与えたりすることができる。
これによりエレキギターやキーボード等の楽器単体では実現が困難な音響効果を付与することが可能になる。
前記エフェクターにより実現できる音響効果は様々であり、音楽演奏の現場では目的や用途に応じたエフェクターを複数準備しておき、音楽演奏に適したエフェクターを使用する。
ところが市販のエフェクターでは音楽演奏に必要な機能が全て搭載されているとは限らないことから、特定の楽曲に関する音楽演奏に必要とされる音響効果を実現できない問題がある。
また逆に全ての音響効果を実現することのできる市販のエフェクターはその構成が複雑であり、音楽演奏の際の操作が煩雑となる問題もある。
このため音楽演奏の際には構成が簡便な複数のエフェクターを組み合わせて使用することにより音楽演奏に必要とされる音響効果を実現することが通常である（特許文献１）。
しかしながら複数のエフェクターを組み合わせた場合、音楽演奏中に間違えることなく複数のエフェクターを連動させつつ操作することはやはり容易ではない。
【先行技術文献】
【特許文献】
【０００３】
【特許文献１】特開２００６−０４７９３８号公報
【考案の概要】
【考案が解決しようとする課題】
【０００４】
上記問題に対応するためには音楽演奏に必要とされる音響効果を実現するための最小限の機能を備えたエフェクターを準備しておき、それを音楽演奏に使用することも考えられる。
しかし音楽演奏が複数の曲に及ぶ場合には複数のエフェクターを準備しつつ、それらを間違うことなく選択し操作することが求められる。
また音楽演奏の際にはエフェクターの設定値を各曲毎に調整する必要があるが、音楽の演奏が開始した後ではエフェクターの設定値が正しい水準に設定されているかを確認することも容易ではない。
本考案の目的は、音楽演奏中に間違うことなく選択することができ、設定値の調整や確認が簡便なエフェクターを提供することにある。
【課題を解決するための手段】
【０００５】
上記課題を解決するため本考案者が鋭意検討した結果、筐体に化粧板を備えたエフェクターが本考案の目的に適うことを見出した。また音響効果の付加を調整するための調整つまみを有するエフェクターであって、側面に３００μｍ〜５ｍｍの範囲の高低差の凹凸を有する前記調整つまみを備えたエフェクターも本考案の目的に適うことを見出し、本考案を完成するに至った。
【０００６】
すなわち本考案は、
［１］（Ａ）音楽信号を入力する手段と、前記音楽信号に対して音響効果を付加する手段と、前記音響効果が付加された音楽信号を出力する手段とを有する筐体、
（Ｂ）前記筐体の外部に設置される調節表示部材、
および
（Ｃ）前記筐体に着脱可能に設置された化粧板、
を備えたエフェクターであって、
前記筐体の外部に設置される調節表示部材（Ｂ）が、前記筐体の外部から音楽信号に対して音響効果を付加する手段を制御するための調整つまみ、および前記筺体の外部からエフェクターの動作状況を確認するための表示部材、の少なくとも一方を含み、
前記筐体に着脱可能に設置された化粧板（Ｃ）が、前記筐体の外部に設置される調節表示部材を挿通させるための貫通孔を有することを特徴とする、エフェクターを提供するものである。
【０００７】
また本考案は、
［２］前記筐体の外部に設置される調節表示部材（Ｂ）が、前記筐体の外部から音楽信号に対して音響効果を付加する手段を制御するための調整つまみを含み、
前記調整つまみが、側面に３００μｍ〜５ｍｍの範囲の高低差の凹凸を有する、上記［１］に記載のエフェクターを提供するものである。
【０００８】
また本考案は、
［３］上記［１］または［２］に記載のエフェクターの筐体上面に着脱可能に設置される、エフェクター用の化粧板であって、
前記筐体の外部に設置される調節表示部材を挿通させるための貫通孔を有する、化粧板を提供するものである。
【０００９】
また本考案は、
［４］上記［１］または［２］に記載のエフェクターの筐体上面に設置される、エフェクター用の調整つまみであって、
前記調整つまみは柱状形状であり、
前記柱状形状の側面に３００μｍ〜５ｍｍの範囲の高低差の凹凸を有し、
前記凹凸の凸部分の少なくとも一つが、前記柱状形状側面上の柱軸方向の直線と、柱軸方向と垂直な面により前記柱状形状を切断した切断面外周との双方に交差する、
調整つまみを提供するものである。
【考案の効果】
【００１０】
本考案のエフェクターは着脱可能な化粧板を有する。これにより複数のエフェクターが存在する場合であっても、前記化粧板の色を変えること等により暗いコンサート会場等の条件の悪い場所でも瞬時に目的とするエフェクターを識別することができるため、エフェクターの選択ミスによる事故を軽減することができる。
【００１１】
またエフェクターの筐体に前記音響効果の付加を制御するための調整つまみ等が複数設置されている場合、音楽演奏を通じて全く使用しない調整つまみ等が含まれる場合がある。
この場合は調整つまみ等をエフェクターから撤去して、前記化粧板により撤去した調整つまみ等が装着されていた孔を覆うことにより、誤操作の防止に加え、エフェクターの視認性が向上するため操作性に優れる。
これにより、音楽演奏中に目的とする調製つまみ等を間違うことなく選択することができ、設定値の調整や確認が簡便なエフェクターを提供することができる。
【００１２】
また前記化粧板はエフェクターに対して着脱可能であるから自由に交換することが可能である。このため製造から時間の経ったエフェクターであっても新品同様に簡便に再生して使用することができる。
【００１３】
また本発明のエフェクターに使用する調整つまみは、側面に比較的大きな高低差の凹凸を有することから、簡単に音響効果の付加を制御することが可能になる。
【００１４】
また本発明のエフェクターに使用する調整つまみは形状に特徴を持たせることが可能であるため視認性に優れる。
このため、音楽演奏中に間違うことなく選択することができ、設定値の調整や確認が簡便なエフェクターを提供することができる。
【図面の簡単な説明】
【００１５】
【図１】本考案のエフェクターを説明するための模式斜視図である。
【図２】本考案のエフェクターを説明するための模式斜視図である。
【図３】本考案のエフェクターを説明するための模式斜視図である。
【図４】本考案に使用される調節つまみを説明するための斜視図である。
【図５】本考案に使用される調節つまみの側面に現れる凹凸の形状を説明するための側面図である。
【図６】本考案のエフェクターを使用した場合の動作を説明するためのブロック図である。
【考案を実施するための形態】
【００１６】
本考案について、以下に図面を参照しつつ実施例により詳細に説明する。なお本考案は下記の実施例により何ら限定されるものではない。
【実施例１】
【００１７】
図１は、本考案のエフェクターを説明するための模式斜視図である。
実施例１に使用した筐体１００はアルミニウムダイキャストであり、前記筐体１００は、本体１と底面板２に分離できる構造となっている。
【００１８】
前記筐体１００の素材に限定はなく、金属製、合成樹脂製、セラミック製等のものを挙げることができるが、操作性の観点から金属製のものが好ましく、金属により鋳造、鍛造したものであればより好ましい。
また本体部の内部は空洞になっていて、前記本体部の四隅にそれぞれ螺子孔（図示せず）が設けられている。また底面板２の前記螺子孔に対応する四隅に螺子受孔３が設けられていて、前記本体１の螺子孔、底面板２の螺子受孔３に螺子４を捩じ込むことにより、前記本体１と底面板２とを固定することができる。
【００１９】
前記筐体１００の上面５には、化粧板２００を介してエフェクターの通電状態を示すための発光ダイオードからなる表示部材１０、入力された音楽信号にひずみを付加する程度を変更するための調整つまみ２０、入力された音楽信号のトーンを変更するための調整つまみ３０、入力された音楽信号のボリュームを変更するための調整つまみ４０および入力された音楽信号に対して音響効果の付加と遮断を制御するためのスイッチ５０が調節表示部材として設置されている。
【００２０】
本考案に使用される調節表示部材としては、本考案のエフェクターに対して入力された音楽信号に対して音響効果を付加する程度を調整するための調整つまみ、本考案のエフェクターの動作状態を表示するためのインジケーター、本考案のエフェクターに対して入力された音楽信号に対して音響効果の付加と遮断を制御するためのスイッチ等が挙げられ、これらは適宜選択して設置することができる。
【００２１】
また前記筐体１の側面には、音楽信号を本考案のエフェクターに入力するための入力端子（図示せず。形状は出力端子と同様である。）と出力端子６０が設置されている。この入力端子に楽器からの音楽信号を入力し、入力された音楽信号に対して音響効果を付加してから、前記出力端子６０により音響効果の付加された音楽信号を出力することが可能である。
【００２２】
また前記筐体１００の上面には化粧板２００が着脱可能に設置されている。
前記化粧板２００の形状としては、例えば前記筐体１００の本体１の全部を覆う形状やその一部を覆う形状が挙げられるが、前記化粧板２００は、前記筐体１００の上面と同形状を有するものが好ましい。
前記化粧板２００の素材としては、例えば、アクリル、ポリエチレン、ポリプロピレン、ポリエチレンテレフタレート等の合成樹脂等、アルミニウム、ステンレス、ジュラルミン、銅等の金属や合金等が挙げられる。
また前記化粧板の表面にアクリルや石英ガラス等の模造宝石等を多数貼着することによる装飾を施すこともできる。
【００２３】
図２および図３は、本考案のエフェクターを説明するための模式斜視図である。
前記調整つまみ２０、３０および４０の側面にはそれぞれ調整軸２１、３１および４１に固定するための螺子孔および螺子が設置されている（図示せず）。この螺子を緩めることにより、前記調整軸２１、３１および４１からそれぞれ前記調整つまみ２０、３０および４０を取り外すことができる。
【００２４】
次に固定螺子２２、３２、４２および５２を緩めて取り外し、樹脂製リング５３を取り外し、さらに表示部材１０の前記筐体１００の内側に設置されている固定螺子（図示せず）を緩めることにより、表示部材１０を前記筐体１００から取り外すことができる。
これにより、前記化粧板２００を筐体１００から取り外すことができる。
【００２５】
前記化粧板２００を筐体１００に取り付ける場合には、前記化粧板２００を筐体１００から取り外す場合と逆の操作を行えばよい。
【００２６】
この様にして、前記化粧板２００を自在に筐体１００に対して着脱可能とすることができる。
【００２７】
前記筐体１００の上面に前記調節表示部材を設置するための孔を複数設けることにより、本考案のエフェクターに対して入力された音楽信号に対して音響効果を付加する程度を調整するための調整つまみ、本考案のエフェクターの動作状態を表示するためのインジケーター、本考案のエフェクターに対して入力された音楽信号に対して音響効果の付加と遮断を制御するためのスイッチ等を自由に選択して設置することが可能になる。
【００２８】
また前記化粧板２００には、前記調節表示部材を挿通させるための貫通孔２１０、２２０が設けられているが、前記筐体１００の上面に音楽演奏に使用しない調節表示部材の孔が存在する場合には、これを前記化粧板２００ににより覆って隠すこともできる。
これにより必要な調節表示部材を必要なときのみにエフェクターに設置することが可能となり、かつ前記調節表示部材の視認性も向上することから操作性に優れる。
【００２９】
図４は、本考案に使用される調節つまみを説明するための斜視図である。
本考案に使用される調節つまみの形状としては、例えば柱状形状を有するもの等が挙げられる。具体的には、例えば、三角柱、四角柱、五角柱、六角柱等の多角柱、円柱、楕円柱等が挙げられる。
【００３０】
本考案に使用される調節つまみは、操作性の面から円柱形状であれば好ましい。
また本考案に使用される調節つまみは、その側面に３００μｍ〜５ｍｍの範囲の高低差の凹凸を有するものである。前記調節つまみを製造する際に、その側面に３００μｍ〜５ｍｍの範囲の高低差の凹凸が存在する場合には指による操作性に特に優れる。
【００３１】
図４では、前記調節つまみの上面と側面に凹部分３００と凸部分３１０が設けられていて、前記凹部３００と凸部３１０とが組み合わされて前記調節つまみの上面と側面に模様が形成されている。
【００３２】
図５は、本考案に使用される調節つまみの側面に現れる凹凸の形状を説明するための側面図である。  
本考案に使用される調節つまみは、その側面に設けられた前記凹凸の凸部分３１０の少なくとも一つが、前記柱状形状側面上の柱状軸方向の直線と、柱軸方向と垂直な面により前記柱状形状を切断した切断面外周との双方に交差する。
【００３３】
柱状軸方向とは、図２に示された調整軸２１、３１および４１の延長方向、すなわち前記筐体１００の上面に垂直な方向を示すものである。
【００３４】
ここで前記凹凸の凸部分の少なくとも一つが前記柱状形状側面上の柱状軸方向の直線と交差するとは、図５の一点破線ａ−ａにより示される直線と前記凹凸の凸部分の少なくとも一つが交差することを意味する。
また、前記凹凸の凸部分の少なくとも一つが柱軸方向と垂直な面により前記柱状形状を切断した切断面外周と交差するとは、図５の一点破線ｂ−ｂにより示される外周と前記凹凸の凸部分の少なくとも一つが交差することを意味する。
この形状を有する調節つまみは操作性に優れることから特に好ましい。
【００３５】
図６は、本考案のエフェクターを使用した場合の動作を説明するためのブロック図である。
【００３６】
エレキギターやキーボード等の楽器４００の信号はピックアップ４１０により音楽信号として、アンプ４２０を介してエフェクター内部に設置されたエフェクト回路４３０に入力される。図６ではエフェクト回路４３０が音楽信号に対して音響効果を付加する手段として機能する。エフェクト回路４３０に入力された音楽信号に対して音響効果が付加されることにより、元の音楽信号に歪み、残響、特定周波数域帯の強調や減衰等の効果を与えることができる。
【００３７】
次に音響効果が付加された音楽信号をエフェクターから出力後、パワーアンプ４４０を通じて、エレキギターやキーボード等の楽器４００の音楽信号に音響効果が付加された音楽信号を外部スピーカー４５０により音楽として再生することができる。
【符号の説明】
【００３８】
１    エフェクター本体
２    底面板
３    螺子受孔
４    螺子
５    筐体上面
１０    表示部材
２０、３０、４０    調整つまみ
２１、３１、４１    調整軸
２２、３２、４２、５２    固定螺子
５３    樹脂製リング
５０    スイッチ
６０    出力端子
１００    筐体
２００    化粧板
２１０、２２０    貫通孔
３００    凹部分
３１０    凸部分
４００    楽器
４１０    ピックアップ
４２０    アンプ
４３０    エフェクト回路
４４０    パワーアンプ
４５０    外部スピーカー
ａ−ａ    調整つまみの側面上の柱状軸方向を示す直線
ｂ−ｂ    調整つまみの外周を示す直線
【図１】
0003157467.tif 000003
【図２】
0003157467.tif 000004
【図３】
0003157467.tif 000005
【図４】
0003157467.tif 000006
【図５】
0003157467.tif 000007
【図６】
0003157467.tif 000008